(57)【要約】【課題】接続動作開始位置からデータ接続位置まで光ピックアップが移動するまでの待ち時間が、光ディスク回転速度や光ピックアップ位置にかかわりなく、常に一定である。これでは、ショックプルーフ機能（耐震性）の向上のために、データ接続時間を含む耐震ショック時のリカバリ時間を減らすことはできない。【解決手段】光ディスク１０から光ピックアップ１１を介して読み出したデータをショックプルーフメモリ１５に一時記憶させる光ピックアップのアクセス制御方法であって、データ接続動作中に光ディスクの回転速度および光ディスク上における光ピックアップの位置を判断するステップと、回転速度および光ピックアップ位置に応じて接続動作開始位置を設定するステップと、光ピックアップを接続動作開始位置に移動させてデータ接続位置へのアクセスを行うステップとを含む。【選択図】図６
2006172589.tif 000002
【特許請求の範囲】
【請求項１】
光ディスクから光ピックアップを介して読み出したデータをショックプルーフメモリに一時記憶させる光ピックアップのアクセス制御方法であって、
データ接続動作中に光ディスクの回転速度を判断するステップと、
前記回転速度に応じて接続動作開始位置を設定するステップと、
前記光ピックアップを前記接続動作開始位置に移動させたのちデータ接続位置へのアクセスを行うステップと
を含む光ピックアップのアクセス制御方法。
【請求項２】
光ディスクから光ピックアップを介して読み出したデータをショックプルーフメモリに一時記憶させる光ピックアップのアクセス制御方法であって、
データ接続動作中に光ディスク上における前記光ピックアップの位置を判断するステップと、
前記光ピックアップ位置に応じて接続動作開始位置を設定するステップと、
前記光ピックアップを前記接続動作開始位置に移動させたのちデータ接続位置へのアクセスを行うステップと
を含む光ピックアップのアクセス制御方法。
【請求項３】
光ディスクから光ピックアップを介して読み出したデータをショックプルーフメモリに一時記憶させる光ピックアップのアクセス制御方法であって、
データ接続動作中に光ディスクの回転速度および光ディスク上における前記光ピックアップの位置を判断するステップと、
前記回転速度および前記光ピックアップ位置に応じて接続動作開始位置を設定するステップと、
前記光ピックアップを前記接続動作開始位置に移動させたのちデータ接続位置へのアクセスを行うステップと
を含む光ピックアップのアクセス制御方法。
【請求項４】
光ディスクから光ピックアップを介して読み出したデータをショックプルーフメモリに一時記憶させる光ピックアップのアクセス制御装置であって、
データ接続動作中に光ディスクの回転速度を判断する手段と、
前記回転速度に応じて接続動作開始位置を設定する手段と、
前記光ピックアップを前記接続動作開始位置に移動させたのちデータ接続位置へのアクセスを行う手段と
を備えた光ピックアップのアクセス制御装置。
【請求項５】
光ディスクから光ピックアップを介して読み出したデータをショックプルーフメモリに一時記憶させる光ピックアップのアクセス制御装置であって、
データ接続動作中に光ディスク上における前記光ピックアップの位置を判断する手段と、
前記光ピックアップ位置に応じて接続動作開始位置を設定する手段と、
前記光ピックアップを前記接続動作開始位置に移動させたのちデータ接続位置へのアクセスを行う手段と
を備えた光ピックアップのアクセス制御装置。
【請求項６】
光ディスクから光ピックアップを介して読み出したデータをショックプルーフメモリに一時記憶させる光ピックアップのアクセス制御装置であって、
データ接続動作中に光ディスクの回転速度および光ディスク上における前記光ピックアップの位置を判断する手段と、
前記回転速度および前記光ピックアップ位置に応じて接続動作開始位置を設定する手段と、
前記光ピックアップを前記接続動作開始位置に移動させたのちデータ接続位置へのアクセスを行う手段と
を備えた光ピックアップのアクセス制御装置。
【発明の詳細な説明】
【技術分野】
【０００１】
本発明は、光ディスク（ＣＤ）装置に搭載される光ピックアップのアクセス制御方法および光ピックアップのアクセス制御装置にかかわり、より詳しくは、ショックプルーフの技術に関する。
【背景技術】
【０００２】
光ピックアップを光ディスク上のデータ接続位置にジャストに着地させると、メカのばらつき等の要因でデータ接続を正しく行えない場合が発生する。この不都合を回避するのがショックプルーフ接続動作である。ショックプルーフ接続動作では、光ピックアップをデータ接続位置の数フレーム前の位置である接続動作開始位置に着地させ、そこから光ピックアップをデータ接続位置に向けて移動させる。これにより、光ピックアップを確実にデータ接続位置に到達させることができる。
【０００３】
以下、従来技術について、図面を参照しながら説明する。
【０００４】
図１は光ディスク装置の構成を示すブロック図である。図１において、１０は光ディスク、１１は光ピックアップ、１２は光ピックアップドライバ、１３はサーボＬＳＩ、１４はマイクロコンピュータ（マイコン）、１５はショックプルーフメモリである。
【０００５】
光ピックアップ１１と一体のレーザーから出射されたレーザーが光ディスク１０で反射され、レンズを通して光ピックアップ１１に到達する。光ピックアップ１１はこれを電気信号に変換し、増幅した後、フォーカスエラー信号およびトラッキングエラー信号を生成し、信号処理を兼ねるサーボＬＳＩ１３に入力する。サーボＬＳＩ１３は、フォーカスエラー信号よりフォーカスサーボ処理を行い、光ピックアップドライバ１２を通じて制御信号を増幅し、フォーカスモータ（図示省略）を制御してレンズのフォーカス制御を行う。また、トラッキングエラー信号よりトラッキングサーボ及びトラバースサーボ処理を行い、光ピックアップドライバ１２を通じて制御信号を増幅し、トラッキング制御を行う。最後に、同期信号によりＣＬＶ（Constant Linear Velocity：線速度一定）サーボ処理を行い、光ディスク１０を回転させるスピンドルモータ（図示省略）の回転数制御を行う。
【０００６】
サーボＬＳＩ１３内に設けられた信号処理回路は、光ディスク１０から読み取った信号を復調し、ショックプルーフメモリ１５に蓄積する。このとき、このショックプルーフメモリ１５に蓄積されたデータは、ショックプルーフメモリ１５からサーボＬＳＩ１３内のＤＦ−ＤＡＣでＤＡ変換され、アナログ音声が出力される。
【０００７】
次に、従来の光ディスク装置において、音声サーチを行う場合の処理について図８を使用して説明する。
【０００８】
ステップＳ４１において、マイコン１４は、光ピックアップ１１を接続動作開始位置に移動させ、ステップＳ４２に進む。次いで、ステップＳ４２において、光ピックアップ１１がデータ接続位置に移動するまで待つ。移動完了後、ステップＳ４３に進んで、データ接続を開始する。
【０００９】
上記のアルゴリズムによるショックプルーフ接続動作によれば、メカのばらつき等があっても、光ピックアップを確実にデータ接続位置に到達させることができ、ショックプルーフメモリ内のデータ接続を高精度に実現できる。
【特許文献１】特開平１０−２２８７５４号公報（第３−４頁、第１−２図）
【発明の開示】
【発明が解決しようとする課題】
【００１０】
ところで、光ディスクの回転速度が変化すれば、データ接続時の待機時間の最適値も適応的に変化するのが好ましい。また、光ディスクにおける光ピックアップの位置が変化すれば、データ接続時の待機時間の最適値も適応的に変化するのが好ましい。
【００１１】
しかしながら、上記従来技術の光ピックアップ制御方法では、接続動作開始位置からデータ接続位置まで光ピックアップが移動するまでの待ち時間が、光ディスクの回転速度や光ピックアップ位置のいかんにかかわりなく、常に一定である。これでは、ショックプルーフ機能（耐震性）の向上のために、データ接続時間を含む耐震ショック時のリカバリ時間を減らすことはできない。
【００１２】
本発明は上記の課題を解決するものであり、光ディスク回転速度・光ピックアップ位置に応じて待ち時間を最適化し、リカバリ時間を適応的に短縮化することを目的としている。
【課題を解決するための手段】
【００１３】
上記の課題を解決するために、本発明は、次のような手段を講じる。
【００１４】
第１の解決手段として、本発明による光ピックアップ制御方法は、
光ディスクから光ピックアップを介して読み出したデータをショックプルーフメモリに一時記憶させる光ピックアップのアクセス制御方法であって、
データ接続動作中に光ディスクの回転速度を判断するステップと、
前記回転速度に応じて接続動作開始位置を設定するステップと、
前記光ピックアップを前記接続動作開始位置に移動させたのちデータ接続位置へのアクセスを行うステップと
を含むものである。
【００１５】
この光ピックアップのアクセス制御方法を実現する光ピックアップのアクセス制御装置は、
光ディスクから光ピックアップを介して読み出したデータをショックプルーフメモリに一時記憶させる光ピックアップのアクセス制御装置であって、
データ接続動作中に光ディスクの回転速度を判断する手段と、
前記回転速度に応じて接続動作開始位置を設定する手段と、
前記光ピックアップを前記接続動作開始位置に移動させたのちデータ接続位置へのアクセスを行う手段と
を備えている。
【００１６】
これによれば、ショックプルーフ内のデータ接続動作前に、光ディスク回転速度に応じてデータ接続前の待機時間を最適化でき、回転速度増大に起因する待機無駄を軽減することができる。
【００１７】
ところで、この解決手段では光ピックアップ位置の変化に応じた待機時間の最適化はできない。このような課題にも配慮して、その解決を図るのが次に述べる第２の解決手段である。
【００１８】
第２の解決手段として、本発明による光ピックアップ制御方法は、
光ディスクから光ピックアップを介して読み出したデータをショックプルーフメモリに一時記憶させる光ピックアップのアクセス制御方法であって、
データ接続動作中に光ディスク上における前記光ピックアップの位置を判断するステップと、
前記光ピックアップ位置に応じて接続動作開始位置を設定するステップと、
前記光ピックアップを前記接続動作開始位置に移動させたのちデータ接続位置へのアクセスを行うステップと
を含むものである。
【００１９】
この光ピックアップのアクセス制御方法を実現する光ピックアップのアクセス制御装置は、
光ディスクから光ピックアップを介して読み出したデータをショックプルーフメモリに一時記憶させる光ピックアップのアクセス制御装置であって、
データ接続動作中に光ディスク上における前記光ピックアップの位置を判断する手段と、
前記光ピックアップ位置に応じて接続動作開始位置を設定する手段と、
前記光ピックアップを前記接続動作開始位置に移動させたのちデータ接続位置へのアクセスを行う手段と
を備えている。
【００２０】
これによれば、ショックプルーフ内のデータ接続動作前に、光ピックアップ位置に応じてデータ接続前の待機時間を最適化でき、光ピックアップ位置の変化に起因する待機無駄を軽減することができる。
【００２１】
ところで、この解決手段では光ディスク回転速度で待機時間を最適化することはできない。このような課題にも配慮して、その解決を図るのが次に述べる第３の解決手段である。
【００２２】
第３の解決手段として、本発明による光ピックアップ制御方法は、
光ディスクから光ピックアップを介して読み出したデータをショックプルーフメモリに一時記憶させる光ピックアップのアクセス制御方法であって、
データ接続動作中に光ディスクの回転速度および光ディスク上における前記光ピックアップの位置を判断するステップと、
前記回転速度および前記光ピックアップ位置に応じて接続動作開始位置を設定するステップと、
前記光ピックアップを前記接続動作開始位置に移動させたのちデータ接続位置へのアクセスを行うステップと
を含むものである。
【００２３】
この光ピックアップのアクセス制御方法を実現する光ピックアップのアクセス制御装置は、
光ディスクから光ピックアップを介して読み出したデータをショックプルーフメモリに一時記憶させる光ピックアップのアクセス制御装置であって、
データ接続動作中に光ディスクの回転速度および光ディスク上における前記光ピックアップの位置を判断する手段と、
前記回転速度および前記光ピックアップ位置に応じて接続動作開始位置を設定する手段と、
前記光ピックアップを前記接続動作開始位置に移動させたのちデータ接続位置へのアクセスを行う手段と
を備えている。
【００２４】
これによれば、ショックプルーフ内のデータ接続動作前に、光ディスク回転速度および光ピックアップ位置の組み合わせに応じてデータ接続前の待機時間を最適化でき、回転速度の変化および光ピックアップ位置の変化に起因する待機無駄を軽減することができる。
【発明の効果】
【００２５】
本発明にかかわる第１の解決手段によれば、ショックプルーフ内のデータ接続動作前に、光ディスク回転速度に応じてデータ接続前の待機時間を最適化でき、回転速度増大に起因する待機無駄を軽減することができる。
【００２６】
本発明にかかわる第２の解決手段によれば、ショックプルーフ内のデータ接続動作前に、光ピックアップ位置に応じてデータ接続前の待機時間を最適化でき、光ピックアップ位置の変化に起因する待機無駄を軽減することができる。
【００２７】
本発明にかかわる第３の解決手段によれば、ショックプルーフ内のデータ接続動作前に、光ディスク回転速度および光ピックアップ位置の組み合わせに応じてデータ接続前の待機時間を最適化でき、回転速度の変化および光ピックアップ位置の変化に起因する待機無駄を軽減することができる。
【発明を実施するための最良の形態】
【００２８】
以下、本発明の実施の形態について、図面を参照しながら説明する。
【００２９】
本発明の実施の形態の光ディスク装置は、従来技術と同様に、図１に示すようなブロック構成になっている。すなわち、光ディスク１０を再生するために、光ピックアップ１１、光ピックアップドライバ１２、サーボＬＳＩ１３、マイクロコンピュータ（マイコン）１４、ショックプルーフメモリ１５を備えている。音声サーチ処理を除く通常の動作については、従来の光ディスク装置と同様であるので説明を省略する。
【００３０】
（実施の形態１）
以下、図２に示すフローチャートに従って、本発明の実施の形態１における光ピックアップ制御方法を説明する。ここでは、すでに音声再生動作が開始されているものとする。
【００３１】
ステップＳ１１において、マイコン１４は、現在の再生速度、すなわち光ディスク１０の回転速度を判断する。マイコン１４内には、予め、各回転速度に応じたデータ接続位置がテーブルデータとして設定されている。ステップＳ１２〜Ｓ１４において判断された回転速度に応じて、マイコン１４内に用意したテーブルデータから接続動作開始位置を設定する。図３にテーブルデータの例を示す。接続動作開始位置のアドレスは、データ接続位置から所定数のフレーム相当分を差し引いたかたちとなっている。回転速度が速くなるにつれて、減算するフレーム数が小さくなっている。これは、回転速度に応じて待機時間を最適化し、リカバリ時間を常に必要最小限とする。
【００３２】
ステップＳ１５で前記の設定した接続動作開始位置へ光ピックアップ１１を移動させてアクセスを行い、ステップＳ１６でショックプルーフメモリ１５のデータ接続位置に光ピックアップ１１が到達したかを確認する。光ピックアップ１１がデータ接続位置へと到達すると、ステップＳ１７でデータ接続を行い、再生動作を継続する。
【００３３】
本実施の形態の光ピックアップのアクセス制御技術によれば、光ディスクの回転速度の変化に応じてデータ接続時の待機時間を最適化でき、データ接続時に要する時間を短縮することができる。
【００３４】
（実施の形態２）
以下、図４に示すフローチャートに従って、本発明の実施の形態２における光ピックアップ制御方法を説明する。ここでは、すでに、音声再生動作が開始されているものとする。
【００３５】
ステップＳ２１において、マイコン１４は、現在の光ピックアップ１１が光ディスク１０のどの位置（内周、中間、外周）にあるかを判断する。マイコン１４内には、予め、光ディスク１０上における光ピックアップの位置に応じたデータ接続位置がテーブルデータとして設定されおり、判断された光ピックアップ位置に応じて接続動作開始位置を設定する。図５にテーブルデータの例を示す。接続動作開始位置のアドレスは、光ピックアップ位置が外周側となるにつれて、減算するフレーム数が小さくなっている。これは、光ピックアップ位置に応じて待機時間を最適化し、リカバリ時間を常に必要最小限とする。
【００３６】
ステップＳ２２で前記の設定した接続動作開始位置へ光ピックアップ１１を移動させてアクセスを行い、ステップＳ２３でショックプルーフメモリ１５のデータ接続位置に光ピックアップ１１が到達したかを確認する。光ピックアップ１１がデータ接続位置へと到達すると、ステップＳ２４でデータ接続を行い、再生動作を継続する。
【００３７】
本実施の形態の光ピックアップのアクセス制御技術によれば、光ディスクにおける光ピックアップの位置の変化に応じてデータ接続時の待機時間を最適化でき、データ接続時に要する時間を短縮することができる。
【００３８】
（実施の形態３）
以下、図６に示すフローチャートに従って、本発明の実施の形態３における光ピックアップ制御方法を説明する。ここでは、すでに、音声再生動作が開始されているものとする。
【００３９】
ステップＳ３１において、マイコン１４は、現在の光ディスク回転速度と光ピックアップ位置を判断し、あらかじめマイコン１４内に用意したテーブルデータから接続動作開始位置を設定する。図７にテーブルデータの例を示す。接続動作開始位置のアドレスは、回転速度が速くなるにつれて、また、光ピックアップ位置が外周側となるにつれて、減算するフレーム数が小さくなっている。これは、回転速度および光ピックアップ位置に応じて待機時間を最適化し、リカバリ時間を常に必要最小限とする。
【００４０】
ステップＳ３２で前記の設定した接続動作開始位置へ光ピックアップ１１を移動させてアクセスを行い、ステップＳ３３でショックプルーフメモリ１５のデータ接続位置に光ピックアップ１１が到達したかを確認する。光ピックアップ１１がデータ接続位置へと到達すると、ステップＳ３４でデータ接続を行い、再生動作を継続する。
【００４１】
本実施の形態の光ピックアップのアクセス制御技術によれば、光ディスクの回転速度の変化および光ピックアップの位置の変化に応じてデータ接続時の待機時間を最適化でき、データ接続時に要する時間を短縮することができる。
【産業上の利用可能性】
【００４２】
本発明は、ショックプルーフメモリ付きのオーディオ用等の光ディスク装置に搭載される光ピックアップのアクセス制御方法・制御装置として有用である。
【図面の簡単な説明】
【００４３】
【図１】本発明および従来技術に共通な光ディスク装置の構成を示すブロック図
【図２】本発明の実施の形態１の光ピックアップのアクセス制御方法の動作を示すフローチャート
【図３】本発明の実施の形態１の光ピックアップのアクセス制御装置におけるマイコン内のテーブルデータの構成図
【図４】本発明の実施の形態２の光ピックアップのアクセス制御方法の動作を示すフローチャート
【図５】本発明の実施の形態２の光ピックアップのアクセス制御装置におけるマイコン内のテーブルデータの構成図
【図６】本発明の実施の形態３の光ピックアップのアクセス制御方法の動作を示すフローチャート
【図７】本発明の実施の形態３の光ピックアップのアクセス制御装置におけるマイコン内のテーブルデータの構成図
【図８】従来技術における光ピックアップのアクセス制御方法の動作を示すフローチャート
【符号の説明】
【００４４】
１０  光ディスク
１１  光ピックアップ
１２  光ピックアップドライバ
１３  サーボＬＳＩ
１４  マイクロコンピュータ（マイコン）
１５  ショックプルーフメモリ
【図１】
2006172589.tif 000003
【図２】
2006172589.tif 000004
【図３】
2006172589.tif 000005
【図４】
2006172589.tif 000006
【図５】
2006172589.tif 000007
【図６】
2006172589.tif 000008
【図７】
2006172589.tif 000009
【図８】
2006172589.tif 000010